(57)【要約】【課題】理想的なスイングが身につく打球可能なゴルフ練習器を提供する。【解決手段】前方を打球方向として、水平面上で前後方向に直交しつつ、後方から前方を見たときの方向を左方向、および右方向としたとき、打球すべきボールＢを置く位置を基点ｏとして、当該基点から、直線的に後方に帯状に延長してなるテイクバック指示部１０と、基点から左右方向に延長する直線上にあって、スタンスをとる打者の前方の足ＳＬの踵位置を指示するスタンス指示部２０と、前後方向に対して打者側の後方に向かって基点側から帯状に延長するとともに、当該延長方向とテイクバック指示部の延長方向とがゴルフクラブの番手に対応する所定の角度θで交差するダウンスイング指示部３０とを備えたゴルフ練習器１としている。【選択図】  図２
2014097189.tif 000002
【特許請求の範囲】
【請求項１】
ゴルフ練習器であって、
スイングの軌道を表示するためのテイクバック指示部とダウンスイング指示部、およびスタンスの位置を表示するスタンス指示部を備え、
前方を打球方向として、水平面上で前後方向に直交しつつ、後方から前方を見たときの方向を左方向、および右方向としたとき、
前記テイクバック指示部は、打球すべきボールを置くボール位置を基点として、当該基点から、直線的に後方に帯状に延長してなり、
前記スタンス指示部は、右打者あるいは左打者のいずれかに応じ、前記基点から左あるいは右方向、あるいは左右両方向に延長する直線上にあって、スタンスをとる打者の前方の足の踵位置を指示し、
前記ダウンスイング指示部は、基点側を先端として、左打者あるいは右打者のいずれかに応じ、終端に向かって左後方あるいは右後方に帯状に延長するとともに、当該延長方向と前記テイクバック指示部の延長方向とがゴルフクラブの番手に対応する所定の角度で交差する、
ことを特徴とするゴルフ練習器。
【請求項２】
請求項１において、前記スタンス指示部は、後方に向かって左右いずれか、あるいは左右両方向に延長する帯状に形成されていることを特徴とするゴルフ練習器。
【請求項３】
請求項１または２において、前記スタンス指示部、前記テイクバック指示部、前記ダウンスイング指示部は、打席を兼ねる一体的なマット上に識別可能に表示されていることを特徴とするゴルフ練習器。
【請求項４】
請求項１または２において、前記テイクバック指示部、前記ダウンスイング指示部、および前記スタンス指示部は、帯状に形成された板材によって形成されていることを特徴とするゴルフ練習器。
【請求項５】
請求項４において、前記ダウンスイング指示部は、番手に応じて複数あり、それぞれのダウンスイング指示部は、前記テイクバック指示部と着脱可能であり、当該テイクバック指示部に取り付けられている状態では、対応する番手に応じた前記交差角を維持するように構成されていることを特徴とするゴルフ練習器。
【請求項６】
請求項４において、前記ダウンスイング指示部を一つ備え、当該ダウンスイング部は、前記テイクバック指示部に対し、前記番手に対応した交差角度で維持可能に構成されていることを特徴とするゴルフ練習器。
【請求項７】
請求項４〜６のいずれかにおいて、前記ダウンスイング指示部は、基点側を先端として、左打者あるいは右打者のいずれかに応じ、終端に向かって左側あるいは右側に湾曲する円弧状に形成されていることを特徴とするゴルフ練習器。
【請求項８】
請求項４〜７のいずれかにおいて、前記基点と前記テイクバック指示部の前端とが離間しているとともに、前記帯状のテイクバック指示部の幅を維持しつつ前方に延長し、当該テイクバック指示部に対して着脱自在に連結される調整板を備えていることを特徴とする練習器。
【請求項９】
請求項４〜８のいずれかにおいて、前記ダウンスイング指示部、あるいは前記ダウンスイング指示部とテイクバック指示部は、軟質素材で形成されていることを特徴とするゴルフ練習器。
【請求項１０】
請求項１〜９のいずれかにおいて、前記基点の前方に、打球後のクラブヘッドの振り抜き方向を表示するためのフォロースルー指示部を備えたことを特徴とするゴルフ練習器。
【請求項１１】
請求項１〜１０のいずれかにおいて、前記テイクバック指示部に沿う所定位置に可撓性材料からなるピンが立設されていることを特徴とするゴルフ練習器。
【請求項１２】
請求項１〜１１のいずれかに記載のゴルフ練習器とともに使用されて、ウッドクラブのクラウン部に貼着されるスイング案内テープであって、
ゴルフクラブのフェイス側を前方として、クラウン部の前端から所定の角度で二方向に分岐して当該クラウン部の後端方向に至る二本の帯状テープからなり、
一方のテープは、前記フェイス面に対して直交する方向に、前記クラウン部の前端から後方に向かって延長し、
他方のテープは、前記クラウン部の前端からシャフト方向に向かって延長するとともに、前記一方のテープから分岐する前記所定の角度は、所定の番手に対応する前記テイクバック指示部と前記ダウンスイング指示部の前記交差角である、
ことを特徴とするスイング案内テープ。
【発明の詳細な説明】
【技術分野】
【０００１】
この発明は、ゴルフ練習器に関する。具体的には、ゴルファーが適切な軌道でスイングできるようにゴルフクラブのヘッドを案内するための練習器に関する。
【背景技術】
【０００２】
プロゴルファーの打球が描く弾道は、多くのアマチュアゴルファーにとっての憧れであり、目標でもある。そして、理想とされる弾道は、右打者であれば、右前方に向かって飛び出した打球が、放物線を描きながら左方に向かって落下し、ほぼ前方中央に着弾する、所謂「ドローボール」である。
【０００３】
しかし、多くのアマチュアゴルファーによる打球は、右打者でれば、打球が左方向へ出て右方向へ曲がる「フェードボール」であるか、大きく右方向に曲がる「スライスボール」である場合が多い。このフェードボールやスライスボールなどが生じる原因としては、右打者であれば、ダウンスイングにおいて、右（外側）後方から左（内側）前方に向かう、所謂「アウトサイドイン」と呼ばれる軌道を描くことにある。
【０００４】
一方、ドローボールになり易いスイングでは、ゴルフクラブのヘッドは、ダウンスイング時に、左（内側）後方から右（外側）前方に向かう、所謂「インサイドアウト」と呼ばれる軌道を描く。そして、以下の特許文献１には、ゴルファーがテイクバックやダウンスイングを行う際に、ゴルフクラブのヘッドを円弧に沿う軌道へと案内するゴルフ練習器について記載されている。
【先行技術文献】
【特許文献】
【０００５】
【特許文献１】特開２００８−２９５９１１号公報
【発明の概要】
【発明が解決しようとする課題】
【０００６】
上記特許文献１に記載のゴルフ練習器では、ヘッドに描がせるべき軌道上に可撓性のピンを立て、そのピンを倒しながらスイングするようにさせている。すなわち、このゴルフ練習器は、素振りのための練習器であり、実際にボールを打つことができない。また、パターを除けば、テイクバック時とダウンスイング時とが同じ円弧に沿うようにヘッドを案内させている。すなわち、円弧に沿ってテイクバックを行わせ、トップからインパクトまでは、そのテイクバックの円軌道を逆に辿らせるのである。しかし、多くのプロゴルファーによるクラブヘッドの軌道は、実は、テイクバックにおいて、ほぼ一直線に後方に移動し、その後、円弧に沿ってトップ位置まで振り上げられる。したがって、特許文献１に記載のゴルフ練習器では、プロゴルファーのスイングを身につけることができない。
【０００７】
確かに、特許文献１には、上級者が当該文献に記載のゴルフ練習器を使ってドローボールとフェードボールを打ち分けるための練習方法について記載されているが、円弧上に、その円弧の中心方向に向かって傾斜するピンを間欠的に配置し、ダウンスイングにおいて、ヘッドで触れるべきピンと、触れてはいけないピンとを決めているだけであり、テイクバック時にはヘッドに円弧に沿う軌道を描かせるようにしている。したがって、この練習器によって習得したスイングでは、実際にボールを打ったときにドローボールの弾道が得られない可能性が高い。
【０００８】
また、特許文献１に記載のゴルフ練習器とは異なり、身体やゴルフクラブの一部を拘束させた状態でスイングさせるタイプの練習器もある。例えば、アウトサイドインの軌道は、右打者の特に右脇が身体から離れることで生じることが多いため、弾性を有する結束帯などを用いて左右の腕を一体的に固定する練習器が実際に市販されている。確かに、この種の練習器を使えば、実際にボールを打つことができる。しかし、ゴルフ練習者が自発的に脇を締めるようにしてスイングしているわけではないので、身体の拘束を解けば、スイングが元に戻ってしまう可能性が高い。そして、この種のゴルフ練習器では、クラブヘッドがスイング中にどのような軌道を描いているのかを確認することができず、譬え、ゴルファーがテイクバック時にヘッドを後方に直線的に移動させる、ということを知っていたとしても、正確な軌道を高い確率で再現させることができない。
【０００９】
そこで、本発明は、ゴルフ練習者が実際にボールを打つことを可能としつつ、理想的なスイングが自然と身につくようにゴルフクラブのヘッドを案内できるゴルフ練習器を提供することを目的としている。
【課題を解決するための手段】
【００１０】
上記目的を達成するためのゴルフ練習器は、スイングの軌道を表示するためのテイクバック指示部とダウンスイング指示部、およびスタンスの位置を表示するスタンス指示部を備え、
前方を打球方向として、水平面上で前後方向に直交しつつ、後方から前方を見たときの方向を左方向、および右方向としたとき、
前記テイクバック指示部は、打球すべきボールを置くボール位置を基点として、当該基点から、直線的に後方に帯状に延長してなり、
前記スタンス指示部は、右打者あるいは左打者のいずれかに応じ、前記基点から左あるいは右方向、あるいは左右両方向に延長する直線上にあって、スタンスをとる打者の前方の足の踵位置を指示し、
前記ダウンスイング指示部は、基点側を先端として、左打者あるいは右打者のいずれかに応じ、終端に向かって左後方あるいは右後方に帯状に延長するとともに、当該延長方向と前記テイクバック指示部の延長方向とがゴルフクラブの番手に対応する所定の角度で交差する、
ことを特徴としている。
【００１１】
また、前記スタンス指示部は、後方に向かって左右いずれか、あるいは左右両方向に延長する帯状に形成されているゴルフ練習器としてもよい。そして、前記スタンス指示部、前記テイクバック指示部、前記ダウンスイング指示部が、打席を兼ねる一体的なマット上に識別可能に表示されていたり、前記テイクバック指示部、前記ダウンスイング指示部、および前記スタンス指示部が、帯状に形成された板材によって形成されていたりしてもよい。
【００１２】
前記テイクバック指示部、前記ダウンスイング指示部、および前記スタンス指示部を板材で形成したゴルフ練習器において、前記ダウンスイング指示部は、番手に応じて複数あり、それぞれのダウンスイング指示部は、前記テイクバック指示部と着脱可能であり、当該テイクバック指示部に取り付けられている状態では、対応する番手に応じた前記交差角を維持するように構成されているゴルフ練習器としてもよい。
【００１３】
あるいは、前記ダウンスイング指示部を一つ備え、当該ダウンスイング部は、前記テイクバック指示部に対し、前記番手に対応した交差角度で維持可能に構成されているゴルフ練習器としてもよい。前記ダウンスイング指示部は、基点側を先端として、左打者あるいは右打者のいずれかに応じ、終端に向かって左側あるいは右側に湾曲する円弧状に形成されているゴルフ練習器とすることもできる。前記基点と前記テイクバック指示部の前端とが離間しているとともに、前記帯状のテイクバック指示部の幅を維持しつつ前方に延長し、当該テイクバック指示部に対して着脱自在に連結される調整板を備えている練習器とすることもできる。
【００１４】
そして、前記ダウンスイング指示部、あるいは前記ダウンスイング指示部とテイクバック指示部が、軟質素材で形成されていてもよい。前記基点の前方に、打球後のクラブヘッドの振り抜き方向を表示するためのフォロースルー指示部を備えたゴルフ練習器とすればより好ましい。前記テイクバック指示部に沿う所定位置に可撓性材料からなるピンが立設されているゴルフ練習器とすることもできる。
【００１５】
本発明は、上記のゴルフ練習器とともに使用されて、ウッドクラブのクラウン部に貼着されるスイング案内テープにも及んでおり、当該スイング案内テープは、
ゴルフクラブのフェイス側を前方として、クラウン部の前端から所定の角度で二方向に分岐して当該クラウン部の後端方向に至る二本の帯状テープからなり、
一方のテープは、前記フェイス面に対して直交する方向に、前記クラウン部の前端から後方に向かって延長し、
他方のテープは、前記クラウン部の前端からシャフト方向に向かって延長するとともに、前記一方のテープから分岐する前記所定の角度は、所定の番手に対応する前記テイクバック指示部と前記ダウンスイング指示部の前記交差角である、
ことを特徴としている。
【発明の効果】
【００１６】
本発明のゴルフ練習器によれば、ゴルフ練習者がボールを打つ、という実戦に近い練習を通して、理想的なスイングが自然と身につくようにスイング中のゴルフクラブのヘッドを案内することができる。また、本発明のスイング案内テープによれば、本発明のゴルフ練習器とともに使用することで、より確実に理想的なスイングができるようになる。なお、その他の効果については以下の記載により明らかにする。
【図面の簡単な説明】
【００１７】
【図１】理想的なスイングをしたときに描くゴルフクラブのヘッドの軌道を示す図である。
【図２】本発明の基本的な実施例に係るゴルフ練習器を示す図である。
【図３】上記基本的な実施例に係るゴルフ練習器を構成するダウンスイング指示部の構造を示す図である。
【図４】本発明の第１の実施例に係るゴルフ練習器を示す図である。
【図５】上記第１の実施例に係るゴルフ練習器を構成するＴＢ／ＦＴ部の構造を示す図である。
【図６】上記第１の実施例に係るゴルフ練習器を構成するダウンスイング指示部の構造を示す図である。
【図７】上記第１の実施例に係るゴルフ練習器の各部位での断面構造を示す図である。
【図８】上記第１の実施例に係るゴルフ練習器において、番手が異なるゴルフクラブを使用する際の構造を示す図である。
【図９】上記第１の実施例に係るゴルフ練習器の作用と効果を説明するための図である。
【図１０】上記第１の実施例に係るゴルフ練習器に対するボールの載置方法を示す図である。
【図１１】本発明の第２の実施例に係るスイング案内テープを示す図である。
【図１２】上記スイング案内テープの効果を説明するための図である。
【図１３】本発明の第３の実施例に係るゴルフ練習器を示す図である。
【図１４】本発明のその他の実施例に係るゴルフ練習器を示す図である。
【図１５】上記その他の実施例に係るゴルフ練習器の設置方法を示す図である。
【発明を実施するための形態】
【００１８】
＝＝＝本発明に想到する過程＝＝＝
本願発明者は、プロ、アマチュアを問わず、技量が異なる多種多様なゴルファーを指導する立場にある。そのため、プロゴルファーとアマチュアゴルファーとのスイング時のゴルフヘッドの軌道の差異や理想的なスイングによって描かれるクラブヘッドの軌道などについては、理論的にも経験的にも熟知している。
【００１９】
図１に、ゴルファーがゴルフクラブでゴルフボールＢを打球する際に、そのゴルフクラブのヘッド（以下、ヘッド）Ｈが描く軌道（ｓ１〜ｓ７）を示した。当該図１では、鉛直上方から地上を見たときの平面図を示している。なお、以下では、右利きのゴルファー（以下、打者）がスイング、あるいは打球する事例を挙げる。また、説明を平易にするために、便宜的に平面座標系の原点となる基点ｏを設定し、その基点ｏにゴルフボール（以下、ボール）Ｂを載置あるいはティーアップすることとする。そして、打者がそのボールＢに対してアドレスしたときにヘッドＨのフェイス面Ｆと直交する方向を前後方向として規定する。また、基点ｏに対して前方に向かって打球することとし、その前方に向かって左右方向を規定する。すなわち、後方から見て右打者はボールＢの左側に立つことになる。また、基点ｏを通る前後方向への延長線をｙ軸、基点ｏを通る左右方向への延長線をｘ軸とする。そして、ｙ軸に対して打者側を内側とする。したがって、図１では、右打者がボールＢを打球するので、ｙ軸に対して左側が内側、右側が外側となる。
【００２０】
ここで、図１を用いてプロゴルファーによるスイングについて簡単に説明すると、まず、アドレス時では、フェイス面Ｆが前方に正しく向いた状態となり、テイクバックでは、基点ｏから一定距離までｙ軸に沿ってクラブヘッドＨが後方に移動する（ｓ１〜ｓ３）。ダウンスイング時は、ｙ軸に対して角度θで交差するように内側から基点ｏに向かう（ｓ４〜ｓ６）。すなわち、インパクト直前におけるヘッドＨの軌道は、内側後方から基点ｏに向かう直線状、あるいは直線に近似した半径の大きな円弧状となる。そして、インパクト後は、前方へ振り抜く（ｓ７）。
【００２１】
つぎに本願発明者は、図１に示したプロゴルファーがスイングしたときのヘッドＨの軌道（ｓ１〜ｓ７）について、より詳しく解析したところ、上記の交差角度θがクラブの番手に応じて異なる、ということを知見した。さらに、実力や実績を問わず、プロゴルファーでは、上記交差角θが、クラブの番手に応じてほぼ一様であることも知見した。
【００２２】
そこで、この知見を客観的に検証するために、多くのプロゴルファーのスイングについてのビデオ映像から上記交差角θを測定したり、プロゴルファーが使用するゴルフクラブのソールに付く線状の擦過痕とフェイス面Ｆとの角度などを測定したりしたところ、例えば、番手の一番小さなドライバー（１Ｗ）では、ほぼ例外なく、上記交差角θが８゜〜１１゜の範囲であることがわかった。一方、ピッチングウエッジ（ＰＷ）やアプローチウエッジ（ＡＷ）などの番手の一番大きなクラブでは、θ≒２゜でほぼ一定であった。また、番手が大きいクラブから徐々にその番手が小さくなっていくのに応じ、その角度θがほぼ比例的に大きくなっていくこともわかった。
【００２３】
そして、本願発明者は、以上の知見や検証結果から、決して上級者とは言えないアマチュアゴルファーであっても、プロゴルファーによる直線的なテイクバックと、交差角θでのダウンスイングを自発的に行えるようにヘッドを案内できるゴルフ練習器があれば、そのゴルフ練習器を用いた反復練習を通じ、ドローボールを再現性よく打てるはずである、と考えた。また、上記のプロゴルファーによる理想的なスイングは、素振りではなく実際にボールを打つ練習の中で覚えてこそ、確実に身につくものである、と考え、そのゴルフ練習器を使って実際にボールを打てるようにする構造についても考察した。もちろん、スタンスの位置など、理想的なスイングの前提となる基本事項についても、ゴルファーが自然に身につけられるようにすることが必要である。さらに、ゴルフ練習器自体が大型で嵩張ったり、高価なものであったりすれば、そのゴルフ練習器を使用すること自体が困難となることから、個人がゴルフクラブと一緒に携帯可能であったり、特別に改装することなく従前のゴルフ練習場の設備と簡単に置換できたりする利便性や汎用性も必要となる。
【００２４】
そして、本願発明者は、上述した知見や検証結果、およびゴルフ練習器に求められる利便性や汎用性などについて、より深く考察しつつ鋭意研究を重ねた。その結果、本発明に想到した。
【００２５】
＝＝＝本発明の基本的な実施例＝＝＝
図２は、本発明の基本的な実施例に係るゴルフ練習器（以下、練習器）１の概略図である。図示した練習器１は、右打者用であり、スイング時にヘッドＨが描くべき軌道を示すテイクバック指示部１０とダウンスイング指示部３０、およびスタンスを取ったときの打者の前方の足（ここでは左足）ＳＬの位置を指示するスタンス指示部２０から構成されている。
【００２６】
テイクバック指示部１０は、基点ｏを基点として前後方向に延長する直線上にあって、打者に対し、テイクバック時にヘッドを正しくｙ軸に沿って後方に直線的に移動させるように案内するものである。この例において、テイクバック指示部１０は、ｘ軸の位置から後方に僅かに離間した位置を前端１１として、その前端１１から直線的に後方に延長する帯状の板材（アクリル板など）で形成されている。そして、ｙ軸を帯の幅方向の中心としている。
【００２７】
スタンス指示部２０は、基点ｏを基点として左右方向に延長する直線上にあって、スタンスをとる右打者の左足ＳＬの踵位置を指示するものである。すなわち、テイクバック指示部１０とスタンス指示部２０は、互いに直交することになる。この例では、テイクバック指示部１０の右（外側）縁辺１２を前方に延長した線上を右端２１として、この右端２１から左方向に延長する帯状の板材で形成されている。そして、その帯状のスタンス指示部２０の前縁辺２２がｘ軸に重なるように配置されている。したがって、スタンスをとる打者の前方の足ＳＬの踵とボールＢを置く基点ｏとを結ぶ線がｘ軸と一致し、「前方の足の踵の延長線上にボールを置く」というスタンスの基本状態が確実に再現されるようになっている。
【００２８】
なお、実際の練習場や練習器１を設置する地面などには、ｘ軸やｙ軸が識別可能となっているわけではない。そこで、テイクバック指示部１０とスタンス指示部２０とが正しく直交するように、テイクバック指示部１０の前端１１の左右のコーナーが直角となっている。またスタンス指示部２０は、前縁辺２２と後縁辺２３が平行となっている。それによって、テイクバック指示部１０の前端１１に、スタンス指示部２０の後縁辺２３を当接させれば、テイクバック指示部１０とスタンス指示部２０が互いに直交する。そして、スタンス指示部２０の前縁辺２２をｘ軸とし、テイクバック指示部１０の帯の中心線をｙ軸とすればよい。そして、そのｘ軸とｙ軸の交点を基点ｏとして、ここにボールＢを載置、あるいはティーアップすればよい。
【００２９】
ダウンスイング指示部３０は、テイクバック指示部１０やスタンス指示部２０と同様に帯状の板材からなり、テイクバック指示部１０に対し、使用するクラブの番手に応じた角度θで交差するように構成されている。この例では、前方側を先端３１として、その先端３１から内側後方に向かって延長し、その終端３２は、スタンス指示部２０の後端１４よりも後方にある。この図２では、１Ｗの使用を想定したときの状態を示した。なお、この例における練習器１では、ダウンスイング指示部３０の先端３１側をテイクバック指示部１０の下方に積層しており、この積層する際に、テイクバック指示部１０の前端１１とダウンスイング指示部３０の先端３１とを適宜な角度で交差させることで、交差角θをクラブの番手に応じて可変設定できるようにしている。すなわち、この積層状態において、テイクバック指示部１０の内側縁辺１３と、ダウンスイング指示部３０の延長方向とが所定の角度θで交差している。
【００３０】
具体的には、図３に詳しく示したように、使用するクラブの番手と交差角θとを正しく設定するために、ダウンスイング指示部３０の上面３８には、打者が使用するクラブの番手に応じた直線（３３〜３６）が表示されており、この線（３３〜３６）のいずれかをテイクバック指示部１０の内側縁辺１３に揃えて積層すれば、使用するクラブの番手に応じた交差角θでテイクバック指示部１０とダウンスイング指示部３０とが交差する。図３に示した例では、１Ｗと、アイアンの３番、５番、７番の各クラブ（３Ｉ，５Ｉ，７Ｉ）に対応する直線（３３〜３６）が表示され、各直線（３３〜３６）には対応する番手を示す表示３７が付記されている。もちろん、テイクバック指示部１０の上面に、番手と交差角θとの対応関係を示す表示を設け、ダウンスイング指示部３０をテイクバック指示部１０の上面３８に積層させてもよい。
【００３１】
そして、以上の構成を備えた練習器１を用いて練習する際には、テイクバック指示部１０が打球方向に向かって延長するように設置し、そのテイクバック指示部１０の前端１１にスタンス指示部２０の右端２１側の後縁辺２３を当接させてテイクバック指示部１０とスタンス指示部２０とを直交させる。さらに、使用するクラブに応じた交差角θとなるように、ダウンスイング指示部３０をテイクバック指示部１０の下方に積層させ、基点ｏにボールＢを載置する。あるいは、多くのゴルフ練習場で使用されているゴムなどの可撓性素材からなる台座のあるティーを基点ｏに設置するなどして、そのティーの上にボールＢを載置する。
【００３２】
そして、スタンス指示部２０の前縁辺２２に打者の前方の足ＳＬの踵が当接するようにスタンスを取る。基点ｏからそのスタンス位置までの距離は、打者の身長や使用するクラブのシャフトの長さに応じて左右方向で移動させればよい。そして、テイクバック指示部１０に沿ってクラブを後方に移動させた上で、体軸を中心としてヘッドが円軌道を描くようにクラブを振り上げ、ダウンスイング時には、ヘッドがダウンスイング指示部３０に沿う軌道を描くようにクラブを振り下ろす。それによって、ヘッドは、図１に示した理想的なインサイドアウトの軌道を描く。そのため、この練習器１を用いて反復練習を行えば、スイング時のヘッドの軌道を示すテイクバック指示部１０やダウンスイング指示部３０の案内が無くても、自然に直線的なテイクバックの初動と、ダウンスイング時のインサイドアウトの軌道とが再現されるようになり、結果的に、打球がドローボールの弾道となる可能性が高くなる。
【００３３】
＝＝＝第１の実施例＝＝＝
上記本発明の基本的な実施例（基本実施例）に係る練習器１は、本発明の技術思想、作用、効果を説明するためのものであった。そこで、上記基本実施例に係る練習器１の技術思想を踏襲しつつ、具体的な練習の現場での使用を想定した、より現実的な練習器を本発明の第１の実施例として挙げる。図４は、第１の実施例に係る練習器１ａの全体を示す平面図である。この図４に示した練習器１ａは、基本実施例の練習器１と同様に、テイクバック指示部１０ａ、スタンス指示部２０ａ、およびダウンスイング指示部３０ａを備え、それぞれが互いに着脱可能な帯状の板材で形成されている。また、第１の実施例に係る練習器１ａでは、テイクバックからインパクトまでの軌道に沿ってヘッドを案内するだけではなく、インパクト後のフォロースルー時の軌道までも案内できるように、そのフォロースルーの方向を指示するフォロースルー指示部４０ａも備えている。それによって、インサイドアウトの軌道でダウンスイングを行った際、打球後にフェイスが確実に返るようにヘッドが案内され、インパクト後にクラブを外側へ押し出してしまうことを防止している。そして、フォロースルー指示部４０ａは、基点ｏから前方への延長線上にあって、この例では、テイクバック指示部１０ａの前方に連続して、テイクバック指示部１０ａとフォロースルー指示部４０ａとが一体的な帯状となるように形成されている。また、フォロースルー指示部４０ａの上面には、インパクト後のヘッドの移動方向を示す線分４１が周囲とは異なる色で示されている。
【００３４】
図５（Ａ）（Ｂ）に、テイクバック指示部１０ａとフォロースルー指示部４０ａとが一体的に構成された部品（以下、ＴＢ／ＦＴ部）５０の構造を示した。図５（Ａ）は、このＴＢ／ＦＴ部５０を上方から見たときの平面図であり、（Ｂ）は、（Ａ）におけるａ−ａ矢視断面図である。この図５（Ａ）（Ｂ）に示したように、テイクバック指示部１０ａの上面５６は、ＴＢ／ＦＴ部５０の本体となるアクリル板（以下、ベース板）５１の後方側がテイクバック指示部１０ａとなる。また、ベース板５１の前方側の上面５６には、フェルト製のマットや人工芝が植設されて、フォロースルー指示部４０ａが形成されている。なお、ベース板５１は、前後長Ｌ１が２４インチで、左右幅ｗ１は、１．５インチである。また、厚さｔ１が１．５ｍｍである。そして、ベース板５１の前後長Ｌ１において、前方の８インチの領域Ｌ２にマット４２が積層されている。なお、このマット４２の厚さｔ２は２ｍｍである。幅はベース板５１の幅ｗ１と同じである。
【００３５】
ＴＢ／ＦＴ部５０は、スタンス指示部２０を着脱自在に固定するための構造も備えている。この例では、スタンス指示部２０ａは、幅が１インチで長さが４５インチの帯状のアクリル板で構成されており、先に、図４に示したように、このスタンス指示部２０ａの右端２１側が、ＴＢ／ＦＴ部５０の下方に積層された状態で固定されている。具体的には、図５に示したように、ＴＢ／ＦＴ部５０のベース板５１において、テイクバック指示部１０ａに対応する領域の前端１１側の下面５２に、矩形の断面形状を有する浅い溝５３が形成されている。また、その溝５３は、ベース板５１の左縁辺５４で開口し、右端５５近辺までｘ軸に沿って右方向に延長している。すなわち、溝５３の延長方向はベース板５１の延長方向に対して直交している。そして、スタンス指示部２０ａの右端２１をこの溝５３に嵌め込むと、スタンス指示部２０ａの下面とベース板５１の下面５２とが揃いつつ、スタンス指示部２０ａとベース板５１とが直交した状態で固定され、結果として、スタンス指示部２０ａとテイクバック指示部１０ａとが直交した状態で互いに固定される。
【００３６】
もちろん、スタンス指示部２０ａの右端２１をベース板５１の左縁辺５４に当接させるように構成してもよく、このような場合では、例えば、スタンス指示部２０ａの右端とベース板５１の左縁辺５４に凹凸形状を設けるなどして、相互に係合し合う構造とすれば、スタンス指示部２０ａとベース板５１、すなわちテイクバック指示部１０ａとを互いに直交した状態で固定することができる。いずれにしても、練習器１ａは、テイクバック指示部１０ａとスタンス指示部２０ａを互いに直交させた状態で固定するための構造を備えていればよい。
【００３７】
一方、第１の実施例に係る練習器１ａでは、ダウンスイング指示部３０ａは、クラブの番手に応じて複数用意されており、それぞれのダウンスイング指示部３０ａについても、ベース板５１に対して自在に着脱可能となっている。そして、図４に示したように、ベース板５１に取り付けた状態では、番手に応じた角度θでテイクバック指示部１０ａと交差するようになっている。また、番手に応じたそれぞれのダウンスイング指示部３０ａは、異なる色で着色されて、他の番手のものと混同されないようになっている。また、上面３８には、使用すべき番手を示す表示３７が付記されている。
【００３８】
図６にダウンスイング指示部３０ａの構造を示した。ここでは、代表例として、１Ｗと７Ｉのクラブに対応するダウンスイング指示部（３０ａＷ，３０ａＩ）を示した。図６（Ａ）は１Ｗ用のダウンスイング指示部３０ａＷの上面３８側の平面図であり、（Ｂ）は同じ１Ｗ用のダウンスイング指示部３０ａＷの下面３９側の平面図を示している。また、図６（Ｃ）と（Ｄ）は、それぞれ、７Ｉまたは８Ｉ用のダウンスイング指示部３０ａＩの上面３８側と下面３９側を示している。以下に、この図６と先の図５とに基づいて、ダウンスイング指示部３０ａの構造や、およびＴＢ／ＦＴ部５０とダウンスイング指示部３０ａとの着脱構造について説明する。
【００３９】
図６に示したように、ダウンスイング指示部３０ａは、ベース板５１やスタンス指示部２０ａと同様に帯状の板材で構成されているが、その形状が単純な直線状ではなく、先端３１から終端３２に向けて一定の幅ｗ２を維持しながら内外の縁辺（６５，６６）が円弧状に湾曲している。また、ダウンスイング指示部３０ａの先端３１側は、半円形で、図６（Ｂ）（Ｄ）に示したように、下面３９には、この先端３１の半円と同心の軸孔６１が穿設されている。そして、図５（Ｂ）に示したように、ＴＢ／ＦＴ部５０のベース板５１において、テイクバック指示部１０ａに対応する領域の前端１１側の上面５６には、上方に突出する扁平円柱状の軸部５７が形成されており、この軸部５７が上記の軸孔６１に挿入されることでダウンスイング指示部３０ａがＴＢ／ＦＴ部５０に装着される。そして、ダウンスイング指示部３０ａの先端３１側の上面３８において、同心となる、軸孔６１と軸部５７の中心軸の位置がボールを載置すべき基点ｏとなる。
【００４０】
また、ダウンスイング指示部３０ａは、厚さが一様ではなく、厚さが薄くなる部位（薄肉部）６２とそれ以外の肉厚の部位（肉厚部）６３の二つの領域に区分されている。薄肉部６２は、先端３１から軸孔６１の形成領域を包含する領域にあり、下面３９が凹状となるように厚さが薄くなっている。そして、軸孔６１と軸部５７とを嵌合させてベース板５１とダウンスイング指示部３０ａとを積層しつつ、段差が形成される薄肉部６２と肉厚部６３の境界６４をベース板５１の左縁辺５４に当接させると、ダウンスイング指示部３０ａが番手に応じた角度θでベース板５１と交差するようになっている。
【００４１】
図７にベース板５１とダウンスイング指示部３０ａとの積層状態を示した。図７（Ａ）は、図４におけるｂ−ｂ矢視断面図であり、（Ｂ）は、図４におけるｃ−ｃ矢視断面図である。また、（Ｃ）は、図４におけるｄ−ｄ矢視断面図である。そして、これらの断面図（Ａ）〜（Ｃ）では、ダウンスイング指示部３０ａの切断面を斜線のハッチングで示し、それ以外の前方から見える側面部分を網目のハッチングで示した。まず、図７（Ａ）に示したように、ダウンスイング指示部３０ａにおける薄肉部６２の厚さｔ４は、フォロースルー指示部４０におけるマット４２の厚さｔ２とほぼ同じ（ｔ４≒ｔ２）であり、当該ダウンスイング指示部３０ａがベース板５１に積層された際、フォロースルー指示部４０ａの上面４３とダウンスイング指示部３０ａの上面３８とがほぼ面一となる。また、図７（Ｂ）（Ｃ）に示したように、ダウンスイング指示部３０ａの肉厚部６３の厚さｔ５は、ベース板５１の厚さｔ１を含めたフォロースルー指示部４０ａの厚さｔ３とほぼ一致し（ｔ５≒ｔ３）、ダウンスイング指示部３０ａをベース板５１に取り付けたとき、ダウンスイング指示部３０ａの上面３８が、その全長に亘って高低差が生じないようになっている。
【００４２】
なお、上述したように、第１の実施例に係る練習器１ａは、使用する複数のクラブに対応して複数のダウンスイング指示部３０ａが用意されている。図８の（Ａ）と（Ｂ）に、それぞれ、１Ｗ用のダウンスイング指示部３０ａＷをベース板５１に取り付けたときの練習器１ａと、７Ｉまたは８Ｉ用のダウンスイング指示部３０ａＩを取り付けたときの練習器１ａとを示した。当該図８や先に図６にも示したように、ダウンスイング指示部３０ａの平面形状は、単純な直線的な帯状ではなく、円弧状であり、ダウンスイング指示部３０ａの内外の円弧（６５，６６）は、大きな番手のクラブ用のものほど半径が大きくなっている。すなわち、ダウンスイング時の軌道は、飛距離が短いクラブほど直線に近くなっている。一つ例を挙げると、１Ｗ用のダウンスイング指示部３０ａＷでは、内側の縁辺６５が約１０ｍの半径の円弧となっている。また、終端３２の位置は、番手の大きなクラブ用のものほど前方にある。
【００４３】
ところで、使用するクラブに応じたダウンスイング指示部３０ａとテイクバック指示部１０ａとの交差角θについては、ダウンスイング指示部３０ａが円弧状であるため、この例では、幅ｗ２を二分して、基点ｏから終端６６に向かう円弧の中間点Ｍと、基点ｏとを結んだ直線６７をダウンスイング指示部３０ａの延長方向と規定し、この延長方向とｙ軸とが交差する角度を上記の交差角θとしている。そして、１Ｗ用のダウンスイング指示部３０ａＷでθ＝１０°、７Ｉ用のダウンスイング指示部３０ａＩでθ＝５°となるように設計されている。
【００４４】
つぎに、第１の実施例に係る練習器１ａを用いた練習法や、その練習による効果について説明する。図９に第１の実施例に係る練習器１ａを用いた練習法の概略を示した。この図では、練習器１ａを用いて１ＷでボールＢを打つときのヘッドＨの軌道（ｓ１１〜ｓ１８）が示されている。まず、上記基本的な実施例に係る練習器１の場合と同様に、打者は、自身の身長とクラブの長さに応じて、スタンス指示部２０ａの前縁辺２２の適宜な位置に自身の前方の足（左足）ＳＬの踵を合わせる。そして、基点ｏにボールＢを置き、そのボールＢを打つ。そして、テイクバックの初動に際しては、テイクバック指示部１０ａに沿ってヘッドＨを後方に直線的に移動させる（ｓ１１〜ｓ１３）。トップからボールに向かってクラブを振り下ろす際（ｓ１４〜ｓ１６）には、ダウンスイング指示部３０ａを意識する。なお、ダウンスイング指示部３０ａは、使用するクラブに応じた最適な公差角度θとなるように基点ｏから内側後方に延長しているとともに、適度な半径の円弧状となっているため、打者は、体軸中心のスイングとインサイドアウトの軌道の双方を意識することができる。
【００４５】
具体的には、ダウンスイング指示部３０ａは、円弧状の帯であり、その円弧は、内側に向かって湾曲している。それによって、打者は、ダウンスイングの初動では、ヘッドＨを内側後方から基点ｏに交差角度θで向かう直線に近似した軌道に沿わせつつ、インパクトの直前では、ダウンスイング指示部３０ａの円弧に沿ってフォロースルーの方向に合流させるような軌道へと滑らかに変化させることができる。
【００４６】
そして、インパクトと、その後のフォロースルーに際しては、フォロースルー指示部４０ａに、インパクト後のクラブの軌道を指示する前後方向に延長する線分４１が表示されているため、インパクト直前に円弧に沿って滑らかに変化させた軌道を引き継いで、インパクトの瞬間に間に無理に手首を返すことなく、一連のスイング動作の中でダウンスイング時に外方向を向いたフェイス面Ｆを自然と前方に向くようにフェイス面Ｆを返すことができる。打球方向にヘッドＨを振り抜く、という意識も強く持つことができるため、飛距離の増大にも繋がる。もちろん、円弧を意識し続けることで、ダウンスイング時における体軸のぶれも少なくなり、ミスショットの可能性も低減する。
【００４７】
しかも、フォロースルー指示部４０ａは、ベース板５１にマット４２を積層した構造で、フォロースルー指示部４０ａの上面４３と、積層状態にあるダウンスイング指示部３０ａの上面３８の高さがほぼ一致しているので、打者に対して視覚的な安心感を与え、躊躇無くヘッドを振り抜くことも出来、このこともスイングの正確性や飛距離の増大に繋がる。なお、マット４２を積層してなるフォロースルー指示部４０ａは、インパクト後にヘッドＨを正しい軌道へと案内する、という効果に加え、ベース板５１やヘッドＨを傷付けないようにする、という効果もある。とくにアイアンでは、基点ｏの前方でヘッドＨが地面に強く押し当てられる可能性が高いことから、その効果が大きい。
【００４８】
ところで、練習器１ａは、様々な番手のクラブでの打球を想定していることから、ボールＢは、ダウンスイング指示部３０ａの先端３１側の上面３８に直接載置されたり、ティーアップされたりする。そこで、図１０に基点ｏにおけるボールＢの載置方法を例示した。図１０（Ａ）は、ティーＴを用いない場合であり、（Ｂ）はティーＴを用いる場合を示している。なお、この図１０では、練習器１ａを図４におけるｂ−ｂ矢視断面図によって示している
まず、図１０（Ａ）に示したように、ティーＴを用いない場合は、ダウンスイング指示部３０ａの先端３１側の上面３８が基点ｏの直上となり、ここに直接ボールＢを載置する。ティーＴを用いる場合には（Ｂ）に示したように、台座のあるゴム製のティーＴを用いれば、何ら問題なくボールＢをティーアップすることができる。なお、図１０（Ｃ）は、第１の実施例に係る練習器１ａの変形例であり、ディーアップ専用の練習器１ｂを示した。この変形例に係る練習器１ｂでは、ダウンスイング指示部３０ｂの軸孔６１が貫通孔となっている。また、ベース板５１の軸部５７も中空筒状で上下方向に貫通している。そして、この貫通した軸孔６１に対して上方から挿抜可能なティーＴｂが付属している。なお、ティーＴｂは、使用するクラブの番手や打者の好みに応じ、高さが異なる複数の種類を用意しておけばよい。
【００４９】
以上の構成を備えた第１の実施例に係る練習器１ａあるいはその変形例である練習器１ｂでは、実際に打球が可能であり、身体を拘束する必要もない。そのため、反復練習を通じて理想とするスイングの軌道が高い確率で再現できるようになる。また、当該練習器（１ａ，１ｂ）は複数の部品に分解可能であり、各部品は、基本的に薄い帯状である。そのため、ゴルフのキャリーバッグにクラブと一緒に収納することができ、容易に携帯可能となる。すなわち、練習場などに気軽に持って行くことができる。もちろん、組み立て時には、一打席分の領域しか使わない。したがって、他の打者の邪魔になることもない。
【００５０】
なお、練習器（１ａ，１ｂ）は、ヘッドＨを理想的な軌道に沿って案内できることから、ミスショットをする可能性は低いと考える。すくなくとも、「ダフリ」や「トップ」は起こりにくい。しかし、ダウンスイング指示部３０ａの上面３８にボールＢを直接置くことを想定すれば、ダウンスイング指示部３０ａの上面３８で、基点ｏの周囲、あるいは全面にフェルト素材などを貼着しておいてもよい。もちろん、ダウンスイング指示部３０ａを軟質の素材（ラバー、発泡ウレタンなど）で構成してもよい。テイクバック指示部１０ａについても軟質素材で構成すれば、ミスショットによる練習器１ａやゴルフクラブの破損の可能性を低減させることができる。
【００５１】
＝＝＝第２の実施例＝＝＝
第１の実施例に係る練習器１ａでは、ゴルフクラブのヘッドＨの軌道を理想的なスイングに沿って案内させるように構成されていた。しかし、とくに、ヘッドスピードが速くなるダウンスイング時においては、ヘッドＨがダウンスイング指示部３０ａに沿う軌道になっているかどうかを確認しづらい。ヘッドＨの軌道に気を取られて、ボールＢへの注意がおろそかになれば、「ヘッドアップ」状態となり、打ち損なう可能性もある。そこで、本発明の第２の実施例として、第１の実施例の練習器１ａとともに使用されることで、打者がヘッドＨを注視しなくても、ヘッドＨの軌道が容易に認識できる練習器１ａ用の付属品を挙げる。
【００５２】
図１１に、第２の実施例に係る付属品７０の概略を示した。この付属品７０は、ヘッドＨに貼着するテープ（スイング案内テープ）７０であり、主にウッドのクラウン部Ｃに貼着することを想定している。例示したスイング案内テープ７０は、クラウン部Ｃの前端から後端に向かって２方向に分岐する２本のテープ部分（７１，７２）によって構成されており、一方のテープ部分７１は、フェイス面Ｆと直交しつつクラウン部Ｃの後方に延長して貼付されて、テイクバックの方向を指示するテイクバック用テープ部７１であり、他方は、前端７４が、そのテイクバック用テープ部７１の前端７３の左方に当接しつつ内側後方に延長するダウンスイング用テープ部７２である。
【００５３】
そして、これらのテープ部（７１，７２）は、その分岐角度αが、テイクバック指示部１０ａと練習器１ａにおける同じクラブの番手に対応するダウンスイング指示部３０ａとの交差角θに一致しており（θ＝α）、このスイング案内テープ７０をヘッドのクラウン部Ｃに貼付したクラブを用い、テイクバック用テープ部７１と練習器１ａのテイクバック指示部１０ａの双方の延長方向が上下で重なるようにアドレスすると、フェイス面Ｆがｙ軸方向を向き、かつ、ダウンスイング用テープ部７２の延長方向がダウンスイング指示部３０ａの延長方向と一致するようになっている。
【００５４】
なお、二つのテープ部（７１，７２）は、その前端（７３，７４）が上下方向で重なっていてもよいが、ここでは、ティーアップしたボールＢに対してアドレスすることを考慮し、各テープ（７１，７２）がほぼ同じで、各テープ部（７１，７２）が左右に並べて貼付されている例を示した。これは、図１１（Ａ）に示したように、ティーアップしたボールＢに対し、ヘッドＨのソールＳが地面に接するようにアドレスした場合、インパクトの瞬間は、同図（Ｂ）に示したように、ソールは、ティーアップした分だけ上方を通過し、かつヘッドＨのヒールＨＥ側よりトップＴＰが上方にあがる。そのため、各テープ部（７１，７２）の前端（７３，７４）を重ねてしまうと、ダウンスイング用テープ部７２と練習器１ａのダウンスイング指示部３０ａとが重なるようにヘッドを案内すると、フェイス面Ｆにおいて、インパクト時にアドレス時における位置よりも内側にボールＢが当たることになる。
【００５５】
そこで、二つのテープ部（７１，７２）のそれぞれの前端（７３，７４）が左右に並ぶように貼付されるようにスイング案内テープ７０を構成しておき、さらに、例えば、フェイス面Ｆ内における理想的な打球位置である、スイートスポット、あるいは周知の撃心と呼ばれる位置の上方にダウンスイング用テープ部の前端７４が重なるようにスイング案内テープ７０を貼付しておけばよい。そして、基点ｏから後方に延長する直線と、テイクバック用テープ部７１の幅を二分して前後に延長する直線とが一致するようにアドレスすればよい。それによって、インパクト時には、フェイス面Ｆにおいて、最も理想的な位置で打球することができる。
【００５６】
そして、以上の構成を備えたスイング案内テープ７０によれば、アドレスの状態から第１の実施例の練習器１ａのみを用いた場合と同様にしてスイングを開始すると、ボールＢを注視したままでも、このスイング案内テープ７０が少しでも目の片隅に捉えられていれば、テイクバック時やダウンスイング時におけるヘッドＨと練習器１ａのテイクバック指示部１０ａやダウンスイング指示部３０ａとの相対的な位置関係が容易に認識できる。なお、テイクバック指示部１０ａとテイクバック用テープ部７１、およびダウンスイング指示部３０ａとダウンスイング用テープ部７２を同じ色で着色しておけば、上記の相対位置関係をより認識し易くなる。また、帯状のテープ（７１，７２）がその帯の延長線上を移動するため、とくに、ヘッドスピードが速くなるダウンスイング時には、ダウンスイング用テープ７２の残像が軌跡となり、打者は、スイングに伴うヘッドＨの軌道を空中に描出された線分として認識することができる。スイング案内テープ７０を蛍光塗料で着色すれば、その残像がさらに顕著となる。もちろん、番手に応じて分岐角度α（＝θ）が異なる各種スイング案内テープ７０を用意することができる。練習器１ａとは個別の追加部品としてスイング案内テープ７０を単品で提供することも考えられる。確かに、このスイング案内テープ７０は、練習器１ａとともに使用することで、その効果が顕著となるが、単体でもヘッドＨの軌道をある程度確認することができるため、常時貼着させておけば、ゴルフ場でのラウンドに際しても活用できる。
【００５７】
＝＝＝第３の実施例＝＝＝
第１および第２の実施例のように、ゴルフ練習器を帯状の複数の板材で構成せず、練習場によくある、打席を含めた一枚のマットを用いて構成してもよい。概略的には、練習器を構成する、テイクバック指示部、スタンス指示部、およびダウンスイング指示部をマットの上面に識別可能に設けるのである。図１２にこの一体的なマット８０を主体として構成された練習器１ｃを本発明の第３の実施例として示した。この練習器１ｃは、人工芝が植設された一体的なマット８０の上面８１に、人工芝本来の色（例えば緑色）とは異なる色で着色された人工芝が部分的に植設されるなどして、テイクバック指示部１０ｃ、スタンス指示部２０ｃ、ダウンスイング指示部３０ｃ、およびフォロースルー指示部４０ｃが形成されている。
【００５８】
この例では、テイクバック指示部１０ｃは、後方を指す矢印で示されており、スタンス指示部２０ｃは、基点ｏから左方向へ延長する帯の一部によって示されている。ダウンスイング指示部３０ｃは、番手に応じて色分けされた先端３１側に向かって先細りとなる帯によって示されている。なお、この例でも、ダウンスイング指示部３０ｃは、直線的な帯ではなく、番手に応じて半径が異なる円弧状となっている。また、フォロースルー指示部４０ｃは、前方を指す矢印で示されている。
【００５９】
ところで、マット８０上には練習器１ｃの構成要素以外にも各種情報を表示することができるため、この例では、スタンス時における大凡の両足（ＳＬ，ＳＲ）の幅や、スタンスしたときのボールＢからの距離を示す表示部８２、テイクバック時の番手に応じた後方へのヘッドの移動距離を示す表示部８３などが設けられている。なお、ヘッドの移動距離を示す表示部８３は、この例では、前後方向に色分けされた帯で表示されており、テイクバック時に、ダウンスイング指示部３０ｃにおける番手に応じた色と同じ色の帯の後端８４まで直線的にヘッドを移動させるようにしている。さらに、ショートアイアンなどでは、打球の飛距離を前方の足ＳＬの開き具合によって調整する、という技術もあることから、その飛距離に応じてスタンス指示部２０ｃの延長方向に対する前方の足の開度も示す表示部８５も設けられている。
【００６０】
また、マット８０上には、適所に穴を穿設したり、他の部材を植設したりすることができる。この例では、テイクバック時にヘッドが後方に直線的に移動しているかどうかを確認させるために、可撓性材料（ラバー、軟質プラスチックなど）からなるピン８６が植設されている。打者は、テイクバック指示部１０ｃに沿ってヘッドが直線的に後方に移動させる際、ピンがヘッドの後端に当たる感触を確認することで、ボールＢを注視しながらヘッドを直線的に後方に移動させているか否かを認知することができる。また、この例では、番手に応じてピン８６の立設位置を変えられるように、ピン８６を立てるための孔８７が設けられており、番手に応じた後方への直線移動距離を過不足なく知ることできるようにもなっている。なお、スイング時の正しい頭の位置などを確認するために、スイングに際してヘッドなどのゴルフクラブの一部が接触しない適所にミラーを埋設しておくことも可能である。
【００６１】
このように、一体的なマット８０によって練習器１ｃを構成することで、基本構成となる各指示部（１０ｃ，２０ｃ，３０ｃ）に加え、テイクバック時の初動を補助するピン８６や、スイング時に必要な各種情報に対応する各種表示部（８２〜８５）などを自由に設けることができる。なお、第３の実施例に係る練習器１ｃは、一打席分の大きなマット８０で構成されているため、ゴルファーが常時携行するには不向きであるが、その反面、ゴルフ練習場にとっては、打席にこの練習器１ｃを置いたり、従前の打席をこの練習器１ｃに置換したりするだけで、客として訪れたゴルファーに自主的な練習のためのサービスを提供することが可能となる。この練習器１ｃを設置しているゴルフ練習場の付帯サービスとして、第２の実施例におけるスイング案内テープ７０を客に貸与、あるいは販売することも考えられる。もちろん、練習器１ｃは練習場の１打席分の領域に十分に設置できる程度の大きさであるので、この練習器１ｃを設置することで、従前の打席数を減らすこともない。
【００６２】
＝＝＝その他の実施例＝＝＝
上記第１および第２の実施例では、練習器１ａは、テイクバック指示部１０ａの前端１１にボールＢを載置するように構成されていた。この例に限らず、図１４に示した練習器１ｄのように、基点ｏとテイクバック指示部１０ｄの前端１１とが離間していてもよい。図１４に、テイクバック指示部１０ｄの前端１１と基点ｏとが離間した形態の練習器１ｄを示した。この例では、この離間した領域（以下、空白領域）９０にマットを置いたり、ティーアップしたりすることができるようになっている。また、ゴルフ練習場によっては、自動的にボールを打席まで移送して自動的にティーアップする装置（以下、配球装置）を設置している場合もあり、図示した例では、配球装置によるティーアップ位置をこの空白領域９０に合わせれば、配球装置との併存も可能となる。なお、図示した例では、基点ｏの前方に帯状の板材からなるフォロースルー指示部４０ｄも配置されている。
【００６３】
また、この練習器１ｄでは、空白領域９０の前後長Ｌ３を、打者の腰の幅に近似させている。これは、スイング時の回転中心となる体軸が実質的に腰の関節であり、この空白領域９０の前後長Ｌ３を、打者の腰の幅に近似させることで、前方の足ＳＬの踵をスタンス指示部２０ｄの前縁辺２２に合わせれば、スタンスをとる打者の前方と後方の腰骨と、この空白領域９０の前後両端の位置がほぼ一致し、体軸の位置も安定し、スイング中に軸がぶれることをより確実に防止することができる。もちろん、空白領域９０の長さＬ３や、テイクバック指示部１０ｄの前端１１からフォロースルー指示部４０ｄの後端までの距離は、打者の体格や、別途設置するマットの大きさ、配球装置との位置関係などに応じて可変設定することができる。例えば、日本の成人男性では、Ｌ３は、約３０〜４０ｃｍとなる。
【００６４】
ところで、図１４に示した練習器１ｄの構成だけでは、空白領域にある基点ｏと、スタンス指示部１０ｄとの相対値関係を正しく設定することが難しい。そこで、図１５（Ａ）〜（Ｃ）に、練習器１ｄにおいて、空白領域９０にある基点ｏと、スタンス指示部２０ｄとの相対位置関係を正しく設定するための方法を示した。まず、図１５（Ａ）に示したように、３分割可能なベース板５０ｄを用意する。そのベース板５０ｄの後方は、テイクバック指示部１０ｄでもあり、前方は、フォロースルー指示部４０ｄとなっている。そして、ベース板５０ｄにおいて、空白領域９０に対応して取り外し可能な部分（以下、調整板９１）には、スタンス指示部２０ｄとの当接位置を示す表示部９２が設けられている。
【００６５】
そして、（Ｂ）に示したように、調整板９１におけるスタンス指示部２０ｄの当接位置表示部９２にスタンス指示部２０ｄの右端２１を当接させる。また、テイクバック指示部１０ｄにダウンスイング指示部３０ｄを取り付ける。そして、（Ｃ）に示したように、調整板９１を取り外す。そして、テイクバック指示部１０ｄとフォロースルー指示部４０ｄの延長方向に対してスタンス指示部２０ｄの延長方向が正確に直交し、スタンス指示部２０ｄの前縁辺２２の延長線とテイクバック指示部１０の幅を二等分する前後方向の延長線であるｙ軸との交点を基点ｏとすればよい。空白領域９０の前後長Ｌ３を調整する場合には、長さの異なる複数の調整板９１を用意しておけばよい。また、上述したように、必要に応じ、この空白領域９０にマットを置いたり、ティーアップをしたりすればよい。
【００６６】
上記各実施例では、右打者用の練習器を示したが、左右対称の形状とすれば、左打者用となる。また、ｙ軸に対して左右対称の形状とすれば、右打者と左打者の双方が利用できる。あるいは、第１および第２の実施例において、ベース５１の下面５２の溝５３を左右両端に開口させれば、スタンス指示部２０ａをベース板５１に対して左右のいずれかに延長させるように設置することができ、一人分の打席領域を広げることなく、右打者と左打者のそれぞれに切り替えて使用することができる。
【００６７】
上記第１あるいは第２の実施例では、複数の番手に応じて、複数のダウンスイング指示部３０ａが用意されていたが、一つのダウンスイング指示部がテイクバック指示部に対して回動可能に枢支されていてもよい。そして、ダウンスイング指示部、あるいはテイクバック指示部、あるいはその両方に、番手と回動角度との対応関係を示す表示を設ければよい。いずれにしても、番手に対応する角度θと使用するクラブの番手とが識別可能に構成されていればよい。
【００６８】
第１または第２の実施例においても、第３の実施例と同様に、テイクバック指示部に沿って、可撓性を有して鉛直上方に立設するピンを設けることができる。あるいはピンを立てるための構造を設けることができる。具体的には、ベース板に可撓性のピンを植設したり、ピンを立設させるための孔を適所に穿設したりすればよい。
【符号の説明】
【００６９】
１，１ａ，１ｂ，１ｃ，１ｄ  ゴルフ練習器、
１０，１０ａ，１０ｃ，１０ｄ  テイクバック指示部、
２０，２０ａ，２０ｃ，２０ｄ  スタンス指示部、
３０，３０ａ，３０ａＩ，３０ａＷ，３０ｂ，３０ｃ，３０ｄ  ダウンスイング指示部、
３７  番手表示、４０ａ，４０ｃ，４０ｄ  フォロースルー指示部、
４２，８０  マット、５０  ＴＢ／ＦＴ部、５１，５１ｄ  ベース板、５３  溝、
５７  軸部、６１  軸孔、６２  薄肉部、６３  肉厚部、７０  スイング案内テープ、
７１テイクバック用テープ、７２  ダウンスイング用テープ、
８２  スタンス領域表示部、８３  テイクバック距離表示部、
８５  前方の足の開度表示部、８６  ピン、８７  ピン立設用孔、９０  空白領域、
９１  調整板、Ｂ  ボール、Ｃ  クラウン部、Ｈ  クラブのヘッド、ｏ  基点、
ＳＬ  左足（右打者の前方の足）、ＳＲ  右足（右打者の後方の足）、
Ｔ，Ｔｂ  ティー
【図１】
2014097189.tif 000003
【図２】
2014097189.tif 000004
【図３】
2014097189.tif 000005
【図４】
2014097189.tif 000006
【図５】
2014097189.tif 000007
【図６】
2014097189.tif 000008
【図７】
2014097189.tif 000009
【図８】
2014097189.tif 000010
【図９】
2014097189.tif 000011
【図１０】
2014097189.tif 000012
【図１１】
2014097189.tif 000013
【図１２】
2014097189.tif 000014
【図１３】
2014097189.tif 000015
【図１４】
2014097189.tif 000016
【図１５】
2014097189.tif 000017